(57)【要約】      （修正有）【課題】麦のような表皮が硬い穀類の場合でも、短時間で精白を行うことができ、動作開始から所定時間経過後自動的に停止させることができて作業能率が良い。【解決手段】上部に開閉可能な蓋７を備えた本体１と、本体１内に軸２ａを垂直方向にして、本体１内の水平配置の隔壁３を貫通させ蓋７との間に画される空間に上端を臨ませて配置した小型モータ２と、軸２ａの上端に配置した凹凸面を一体成型加工した部材から成り、砥石粒を吹付けた砥面を有する回転精白円板４と、蓋７の空間に臨む下面に回転精白円板４に対向配置に固定した凹凸面を一体成型加工した部材から成り、砥石粒を吹付けた砥面を有する固定精白円板６と、小型モータ２のオン、オフ駆動及び時限駆動を行う操作駆動手段２２とを有し、回転精白円板４、固定精白円板６の各凹凸面のうち、一方が碁盤目状の溝で区画され、他方が放射碁盤目状の溝で区画されている。【選択図】図１
0003141008.tif 000002
【実用新案登録請求の範囲】
【請求項１】
上部に開閉可能な蓋を備えた本体と、
前記本体内に軸を垂直方向にして、かつ、本体内の水平配置の隔壁を貫通させ前記蓋との間に画される空間に上端を臨ませて配置したモータと、
前記軸の上端に配置した凹凸面を一体成型加工した部材から成り、かつ、砥石粒を吹付けた砥面を有する回転精白円板と、
前記蓋の前記空間に臨む下面に回転精白円板に対向配置に固定した凹凸面を一体成型加工した部材から成り、かつ、砥石粒を吹付けた砥面を有する固定精白円板と、
前記モータのオン、オフ駆動及び時限駆動を行う操作駆動手段と、
を有し、
前記回転精白円板、固定精白円板の各凹凸面のうち、一方が碁盤目状の溝で区画されて、他方が放射碁盤目状の溝で区画されていることを特徴とする試験用穀類精白機。
【請求項２】
上部に開閉可能な蓋を備えた本体と、
前記本体内に軸を垂直方向にして、かつ、本体内の水平配置の隔壁を貫通させ前記蓋との間に画される空間に上端を臨ませて配置したモータと、
前記軸の上端に配置した凹凸面を一体成型加工した部材から成り、かつ、砥石粒を吹付けた砥面を有する回転精白円板と、
前記隔壁の上側で、かつ、前記回転精白円板の下部に同軸配置した糠出しファンと、
前記蓋の前記空間に臨む下面に回転精白円板に対向配置に固定した凹凸面を一体成型加工した部材から成り、かつ、砥石粒を吹付けた砥面を有する固定精白円板と、
前記隔壁上部において、前記空間を画する開口を有する壁の横位置に配置した本体に対して出入可能な精白穀類用の受皿と、
前記隔壁上部において、受皿の下部に配置した糠を溜める糠溜と、
前記モータ、ファンのオン、オフ駆動及び時限駆動を行う操作駆動手段と、
を有し、
前記回転精白円板、固定精白円板の各凹凸面のうち、一方が碁盤目状の溝で区画されて、他方が放射碁盤目状の溝で区画されていることを特徴とする試験用穀類精白機。
【請求項３】
上部に開閉可能な蓋を備えた本体と、
前記本体内に軸を垂直方向にして、かつ、本体内の水平配置の隔壁を貫通させ前記蓋との間に画される空間に上端を臨ませて配置したモータと、
前記軸の上端に配置した凹凸面を一体成型加工した部材から成り、かつ、砥石粒を吹付けた砥面を有する回転精白円板と、
前記隔壁の上側で、かつ、前記回転精白円板の下部に同軸配置した糠出しファンと、
前記蓋の前記空間に臨む下面に回転精白円板に対向配置に固定した凹凸面を一体成型加工した部材から成り、かつ、砥石粒を吹付けた砥面を有する固定精白円板と、
前記隔壁上部において、前記空間を画する開口を有する壁の横位置に配置した本体に対して出入可能な精白穀類用の受皿と、
前記隔壁上部において、受皿の下部に配置した糠を溜める糠溜と、
前記モータ、ファンのオン、オフ駆動及び時限駆動を行うとともに、警報発生部を搭載しこの警報発生部の時限駆動も行う操作駆動手段と、
を有し、
前記回転精白円板、固定精白円板の各凹凸面のうち、一方が碁盤目状の溝で区画されて、他方が放射碁盤目状の溝で区画されていることを特徴とする試験用穀類精白機。
【請求項４】
上部に開閉可能な蓋を備えた本体と、
前記本体内に軸を垂直方向にして、かつ、本体内の水平配置の隔壁を貫通させ前記蓋との間に画される空間に上端を臨ませて配置したモータと、
前記軸の上端に配置した凹凸面を一体成型加工した部材から成り、かつ、砥石粒を吹付けた砥面を有する回転精白円板と、
前記隔壁の上側で、かつ、前記回転精白円板の下部に同軸配置した糠出しファンと、
前記蓋の前記空間に臨む下面に回転精白円板に対向配置に固定した凹凸面を一体成型加工した部材から成り、かつ、砥石粒を吹付けた砥面を有する固定精白円板と、
前記隔壁上部において、前記空間を画する開口を有する壁の横位置に配置した本体に対して出入可能な精白穀類用の受皿と、
前記隔壁上部において、受皿の下部に配置した糠を溜める糠溜と、
前記本体外壁に設けたボタン操作に連動して前記開口を開閉するカバーと、
前記モータ、ファンのオン、オフ駆動及び時限駆動を行うとともに、警報発生部を搭載しこの警報発生部の時限駆動も行う操作駆動手段と、
を有し、
前記回転精白円板、固定精白円板の各凹凸面のうち、一方が碁盤目状の溝で区画されて、他方が放射碁盤目状の溝で区画されていることを特徴とする試験用穀類精白機。
【考案の詳細な説明】
【技術分野】
【０００１】
本考案は、試験用穀類精白機に関し、詳しくは、米、麦等の穀類を精白する試験用穀類精白機に関する。
に関する。
【背景技術】
【０００２】
米、麦等の収穫穀類は、虫害等による斑点米の栓査、差色米、ヤケ米並びに胴割米の検査、粳米及び糯米の混入検査、麦の充実度検査、育種用検査等をする場合に、少量の精白を行なう必要がある。
【０００３】
このような穀類の精白を行うために、従来においては、精白用空間内において固定配置の精白円板と、回転駆動される精白円板とを上下対向させ、両精白円板の間に精白すべき穀類を入れて一方の精白円板を回転させることで精白を行うようにした穀類精白機が用いられる。
【０００４】
従来の穀類精白機における精白円板の構成例を図９乃至図１１を参照して説明する。
【０００５】
従来の精白円板としては、図９に示すヤスリ状の目立を施した鉄製のヤスリ円板４１や、図１０に示す小径の突球を有するプラスチック成型された撹拌円板４２あるいは図１１に示す複数の円板状のゴムを重合したゴム円板４３等が用いられている。
【０００６】
例えば、玄米精白の場合、固定配置の精白円板としてはゴム円板４３を、回転する精白円板としては撹拌円板４２を用いている。
【０００７】
この場合において、精白が完了するまでに、すなわち、精米が得られるまでに要する時間は約３０秒の短時間である。
【０００８】
一方、麦の精白の場合には、固定配置の精白円板としてはヤスリ円板４１を、回転する精白円板としては撹拌円板４２を用いている。
【０００９】
ところが、麦の場合、表皮が硬いのでなかなか精白が完了せず、精白に５分〜８分程度の比較的長時間を要するものであつた。
【００１０】
すなわち、従来の穀類精白機では、玄米の精米を行う場合には、短時間で精白が完了するため適したものと言えるが、麦のような表皮が硬い穀類では、精白に長時間かかり不適当である。
【００１１】
また、従来の穀類精白機においては、タイマー機能を搭載しておらず、穀類精白機の動作を開始させてから、停止させるまでの時間を作業者がストップウォッチで監視し、手動にて電源スイッチを切るという煩雑な作業を余儀なくされていた。
【００１２】
この種の穀類精白機の別の例としては、特許文献１に投入口側から順に研削用スクリュー、研削ロール、摩擦用スクリュー、研削ロール等を連設し、モータ駆動によりこれらを回転駆動して玄米の精白を連続的に行うように構成した精白部を備えた研削・摩擦型精米機が提案されている。
【特許文献１】特開２００１−２５９４４６号公報
【考案の開示】
【考案が解決しようとする課題】
【００１３】
本考案が解決しようとする問題点は、麦のような表皮が硬い穀類の場合でも、短時間で精白を行うことができ、かつ、動作開始から所定時間経過後自動的に停止させることができて作業能率が良好な試験用穀類精白機が存在しない点である。
【課題を解決するための手段】
【００１４】
本考案の試験用穀類精白機は、上部に開閉可能な蓋を備えた本体と、前記本体内に軸を垂直方向にして、かつ、本体内の水平配置の隔壁を貫通させ前記蓋との間に画される空間に上端を臨ませて配置したモータと、前記軸の上端に配置した凹凸面を一体成型加工した部材から成り、かつ、砥石粒を吹付けた砥面を有する回転精白円板と、前記蓋の前記空間に臨む下面に回転精白円板に対向配置に固定した凹凸面を一体成型加工した部材から成り、かつ、砥石粒を吹付けた砥面を有する固定精白円板と、前記モータのオン、オフ駆動及び時限駆動を行う操作駆動手段と、を有し、前記回転精白円板、固定精白円板の各凹凸面のうち、一方が碁盤目状の溝で区画され、他方が放射碁盤目状の溝で区画されていることを最も主要な特徴とする。
【考案の効果】
【００１５】
請求項１記載の考案によれば、上記回転精白円板、固定精白円板の各凹凸面を、表面に砥石粒を吹付けた（サンド・ペーパー状）砥面を有し比較的溝幅が大きく、溝の深い碁盤目状の溝又は放射碁盤目状の溝を設けた砥面としているので、麦のような表皮が硬い穀類の場合においても短時間で精白が可能となる。これは、従来の精白円板のやすり面のやすり目は全て一方向に向いている単目であるため、麦に衝撃効果を与える確率が低いにの比べて、碁盤目状の溝の砥面の精白円板では、日の方向が四方向あるとともに角隅が多数あるため、衝撃効果を与える確率が高いためである。更に、溝幅が大きいため、糠が溝の中にゆうゆうと入り、よって糠により目詰まりしないために、かつ、試料のみが砥面の効果を受けやすく、上記の衝撃効果が低下しないためとも考えられる。更に、砥面がサンド・ペーパー状となっているので、精白が効果的に実行される。
【００１６】
従来のヤスリ円板は、その製造が、旋盤加工後、熟練工による目立、焼入れ、更に、メッキの各工程を経て行われるので、かなり高価である。これに対し、本考案の精白円板は、ガラス・クロスに樹脂を含浸させて金型で成型加工をした後、表面に砥石粒を吹付け加工を行うようにして金型製造できるので安価である。
【００１７】
また、請求項１記載の考案によれば、前記モータのオン、オフ駆動及び時限駆動を行う操作駆動手段を備えているので、前記モータのオン、オフ駆動及び時限駆動を簡略に行うことができ、作業能率が良好な試験用穀類精白機を提供できる。
【００１８】
請求項２記載の考案によれば、請求項１記載の考案の効果を奏することに加え、精白した穀類の取り扱い、精白に伴って生じる糠の糠出し処理も万全で作業能率が良好な試験用穀類精白機を提供できる。
【００１９】
請求項３記載の考案によれば、請求項２記載の考案の効果を奏することに加え、警報発生部の時限駆動をも行うようにしているので、より作業能率の向上を図ることが可能な試験用穀類精白機を提供できる。
【００２０】
請求項４記載の考案によれば、請求項３記載の考案の効果を奏することに加え、本体外壁に設けたボタン操作に連動して開口を自動的に開くカバーを備えた構成としているので、精白された穀類及び糠の受皿内への取り込みを効率よく行うことができる試験用穀類精白機を提供できる。
【考案を実施するための最良の形態】
【００２１】
本考案は、麦のような表皮が硬い穀類の場合でも、短時間で精白を行うことができ、かつ、動作開始から所定時間経過後自動的に停止させることができて作業能率が良好な試験用穀類精白機を提供するという目的を有するものである。
【００２２】
本考案の試験用穀類精白機は、上部に開閉可能な蓋を備えた本体と、前記本体内に軸を垂直方向にして、かつ、本体内の水平配置の隔壁を貫通させ前記蓋との間に画される空間に上端を臨ませて配置したモータと、前記軸の上端に配置した凹凸面を一体成型加工した部材から成り、かつ、砥石粒を吹付けた砥面を有する回転精白円板と、前記隔壁の上側で、かつ、前記回転精白円板の下部に同軸配置した糠出しファンと、前記蓋の前記空間に臨む下面に回転精白円板に対向配置に固定した凹凸面を一体成型加工した部材から成り、かつ、砥石粒を吹付けた砥面を有する固定精白円板と、前記隔壁上部において、前記空間を画する開口を有する壁の横位置に配置した本体に対して出入可能な精白穀類用の受皿と、前記隔壁上部において、受皿の下部に配置した糠を溜める糠溜と、前記モータ、ファンのオン、オフ駆動及び時限駆動を行う操作駆動手段と、を有し、前記回転精白円板、固定精白円板の各凹凸面のうち、一方が碁盤目状の溝で区画され、他方が放射碁盤目状の溝で区画されている構成により上記目的を実現した。
【実施例】
【００２３】
以下に、本考案の実施例に係る試験用穀類精白機について図面を参照して詳細に説明する。
【００２４】
本実施例に係る試験用穀類精白機２１は、図１、図２に示すように、例えば直方体状を呈する箱型状の本体１を具備し、この本体１内の下部側に小型モータ２を、本体１の上端に蓋７を開閉可能に配置した構成としている。
【００２５】
すなわち、前記本体１内の下部側には、小型モータ２が軸２ａを垂直方向に向けて配置され、前記軸２ａは本体１内に水平方向に設けた隔壁３を貫通してその突出端を本体１内の上部に設けた空間に臨ませている。前記軸２ａの突出端に砥面（ヤスリ面）を上面にして回転精白円板４を装着している。
【００２６】
また、回転精白円板４のわずか下方において、前記軸ａに対して糠出しファン５を装着している。
【００２７】
一方、前記蓋７の下面には、別の固定精白円板６を砥面（ヤスリ面）を下面側として前記空間に臨ませて取り付け、蓋７を閉じた状態で、回転精白円板４と同軸的に対向させている。すなわち、回転精白円板４の砥面と、固定精白円板６の砥面とを前記空間内で対向させている。
【００２８】
前記回転精白円板４、固定精白円板６間の空間は、本体１の隔壁３と開口１０を有する壁９とにより包囲され、前記開口１０は、壁９にヒンジ１１により受皿１４側に回動可能に取り付けたカバー８により閉止され、又は開状態になるように構成している。
前記カバー８は、図２に示すように、本体１の外壁面に設けたボタン１２とリンク機構１３を介して結合され、ボタン１２を操作することで前記カバー８の開閉操作を行うように構成している。
【００２９】
前記本体１の隔壁３上部において、前記壁９の横位置には、底部１５を網状又は多孔板状とした受皿１４が前記開口１０に隣接して設けられている。
【００３０】
また、前記受皿１４の下側には糠を溜める糠溜１６が設けられている。なお、前記受皿１４は、前記蓋７を持ち上げた状態で本体１内へ導入される。
【００３１】
本実施例に係る試験用穀類精白機２１は、更に、図１に示すように、商用電源（例えばＡＣ１００Ｖ）に接続されるＡＣプラグ２３及び本体１への通電用ケーブル２４を具備し、通電用ケーブル２４と本体１との間に前記小型モータ２のオン、オフ駆動及び時限駆動等を行う操作駆動手段２２を有している。
【００３２】
ここで、前記操作駆動手段２２を含む本実施例に係る試験用穀類精白機２１の制御系について図３を参照して詳述する。
【００３３】
前記操作駆動手段２２は、通電用ケーブル２４に接続した電源スイッチ２５と、各要素に所要の出力を供給する電源回路２６と、前記小型モータ２を駆動するモータ駆動回路２７と、前記糠出しファン５を駆動するファン駆動回路２８と、例えばブザー音、チャイム音等の警報音を発する警報発生部３０と、この警報発生部３０を駆動する警報駆動回路２９と、前記モータ駆動回路２７、ファン駆動回路２８及び警報駆動回路２９に各々時限信号を送り、これらを例えば０乃至１５分の範囲で各々時限制御する時間調整ツマミ３２付きの時限回路３１と、を有している。
【００３４】
すなわち、前記時間調整ツマミ３２により、例えば５分の時間を設定することで、前記電源スイッチ２５をオンして小型モータ２、糠出しファン５を始動させた後、前記モータ駆動回路２７を介して小型モータ２を５分間、前記ファン駆動回路２８を介して前記糠出しファン５を５分間駆動し、また、５分経過した時点で警報駆動回路２９を介して前記警報発生部３０を鳴動するように構成している。
【００３５】
なお、前記操作駆動手段２２としては、上述の如く本体１と別体とした構成の他、本体１の側壁等に一体的に組み込んだ構成とすることももちろん可能である。
【００３６】
次に、本実施例に係る試験用穀類精白機２１の動作について説明する。
前記蓋７を開いて例えば麦等の試料穀類を前記空間内の回転精白円板４上に載せて蓋７を閉じると、試料穀類は、上下配置の回転精白円板４、固定精白円板６の間の空間に閉じ込められる。
【００３７】
この状態で前記電源スイッチ２５をオンして小型モータ２を回転させると、試料穀類に対して前記回転精白円板４、固定精白円板６の間において急激な反発力、摩擦力が繰返し作用し、これにより試料穀類は迅速に精白される。
【００３８】
試料穀類に対する精白が終了する直前（前記時間調整ツマミ３２による設定時間満了直前、又は、操作者が手動にて電源スイッチ２５を切る時点の直前）に、前記カバー８をこれにリンク係合されたボタン１２を押して受皿１４側に回動させ、開口１０の部分を開くと、回転精白円板４の遠心力で精白された穀類及び少量の糠が開口１０より自動的に飛出して受皿１４内に入る。
【００３９】
また、前記回転精白円板４と壁９との間の間隙から回転精白円板４の下方に落下した糠は、糠出しファン５により吹き飛ばされて受皿１４下方の糠溜１６に溜まる。更に、受皿１４内に入った糠もその底部の網目部分を抜けて糠溜１６に落下する。この後、電源スイッチ２５をオフにする。
【００４０】
この後、前記蓋７を開けて精白された穀類が入った受皿１４を本体１の外部に取り出し、受皿１４から取り出すことによりこの精白された穀類を検査に供することができる。
【００４１】
次に、本実施例に係る試験用穀類精白機２１における回転精白円板４、固定精白円板６について図４乃至図９を参照して更に詳述する。
【００４２】
前記回転精白円板４、固定精白円板６は、図４に示すように、凹凸面を一体成型加工した部材から成り、かつ、砥石粒を吹付けた砥面を有するものであり、その砥面には多数の溝Ｇが碁盤目状に設けられている。すなわち、溝Ｇ同士で画成される山の頂面Ｓは砥石粒を吹付けたサンド・ペーパー面となっている。
【００４３】
前記回転精白円板４、固定精白円板６としては、図４に示す場合と略同様な構成で、かつ、多数の溝Ｇを放射碁盤目状に設けた図５に示す構成とすることもできる。
【００４４】
更に、前記回転精白円板４、固定精白円板６としては、図４に示す場合と略同様な構成で、かつ、多数の溝Ｇを渦巻き目状に設けた図６に示す構成とすることもできる。
【００４５】
なお、図７は、前記回転精白円板４、固定精白円板６の各断面を示すものである。また、図８に示す前記回転精白円板４、固定精白円板６における溝Ｇの溝探さｔは、１．２ｍｍ〜１．５ｍｍであり、頂面Ｓの一辺長さＷは４．０〜５．０ｍｍであり、溝幅ｗは１ｍｍ、円板厚さＴは２〜２．５ｍｍであることが好ましい。
【００４６】
このような砥面を有する前記回転精白円板４、固定精白円板６を図１及び図２に示す配置で使用することによって、非常に効率のよい精白が麦に対しても実行される。
【００４７】
次に、本実施例に係る試験用穀類精白機２１における具体的実験例について表１をも参照して説明する。
【００４８】
図４、図５に示す回転精白円板４、固定精白円板６において、溝深さｔ＝１ｍｍ、頂面Ｓの一辺長さＷ＝３ｍｍ、溝幅ｗ＝１ｍｍのものを図１に示す試験用穀類精白機２１に用いて、大麦及び鹿島麦の精白を行った。その結果を従来のやすり円板を用いた場合の結果とともに下記表１に示す。
【００４９】
【表１】
0003141008.tif 000003
【００５０】
なお、本実験においては、回転精白円板４として図４に示す円板を、固定精白円板６として図５に示す円板を用いた。
【００５１】
表１より、本実験の場合、従来方式に比べて精白完了までの所要時間が１／３以下に短縮されていることが理解される。なお、精白後の麦のその仕上げ形状も、非常に良好であつた。
【００５２】
なお、上述した実施例では、前記操作駆動手段２２として、電源スイッチ２５、電源回路２６、モータ駆動回路２７、ファン駆動回路２８、警報駆動回路２９、警報発生部３０、時限回路３１、時間調整ツマミ３２を一体的に備えた構成について述べたが、この操作駆動手段２２の構成態様はこれに限らず、例えば、電源スイッチ２５のみを本体１の外部に配置し、残りの各要素は本体１に組み込む等の変形ももちろん可能である。
【産業上の利用可能性】
【００５３】
本考案の試験用穀類精白機は、大麦、鹿島麦等の他、玄米その他各種穀類の精白用として広範に応用可能である。
【図面の簡単な説明】
【００５４】
【図１】本考案の実施例に係る試験用穀類精白機の概略構成図である。
【図２】本実施例に係る試験用穀類精白機の本体の蓋を外した状態の平面図である。
【図３】本実施例に係る試験用穀類精白機の制御系を示すブロック図である。
【図４】本実施例に係る試験用穀類精白機における碁盤目状の砥面を有する精白円板の平面図である。
【図５】本実施例に係る試験用穀類精白機における放射碁盤目状の砥面を有する精白円板の平面図である。
【図６】本実施例に係る試験用穀類精白機における渦巻き状の砥面を有する精白円板の平面図である。
【図７】本実施例に係る試験用穀類精白機における放射碁盤目状の砥面を有する精白円板の断面図である。
【図８】本実施例に係る試験用穀類精白機における放射碁盤目状の砥面を有する精白円板の部分拡大断面図である
【図９】従来の穀類精白機におけるヤスリ円板の平面、断面及び部分拡大部を示す図である。
【図１０】従来の穀類精白機における撹拌円板の平面、断面を示す図である。
【図１１】従来の穀類精白機におけるゴム円板の平面、断面を示す図である。
【符号の説明】
【００５５】
１    本体
２    小型モータ
２ａ  軸
３    隔壁
４    回転精白円板
５    糠出しファン
６    固定精白円板
７    蓋
８    カバー
９    壁
１０    開口
１１    ヒンジ
１２    ボタン
１３    リンク機構
１４    受皿
１５    底部
１６    糠溜
１７    入口
２１    試験用穀類精白機
２２    操作駆動手段
２３    ＡＣプラグ
２４    通電用ケーブル
２５    電源スイッチ
２６    電源回路
２７    モータ駆動回路
２８    ファン駆動回路
２９    警報駆動回路
３０    警報発生部
３１    時限回路
３２    時間調整ツマミ
Ｇ    溝
Ｓ    頂面
Ｔ    円板厚さ
Ｗ    一辺長さ
ｔ    溝深さ
ｗ    溝幅
【図１】
0003141008.tif 000004
【図２】
0003141008.tif 000005
【図３】
0003141008.tif 000006
【図４】
0003141008.tif 000007
【図５】
0003141008.tif 000008
【図６】
0003141008.tif 000009
【図７】
0003141008.tif 000010
【図８】
0003141008.tif 000011
【図９】
0003141008.tif 000012
【図１０】
0003141008.tif 000013
【図１１】
0003141008.tif 000014